(57)【要約】【課題】高い止水性を保ちつつもシャッターユニットに取り付け可能なスクリーンユニットを提供する。【解決手段】スクリーンが引き出し可能に収容されているスクリーン本体と、建物に設けられた開口を閉止可能なシャッターカーテンが収容されるシャッターカーテン収容部内にて固定され、前記シャッターカーテン収容部外に突出されて前記スクリーン本体を支持する支持部材と、を有する。【選択図】図２
2019127777.tif 000002
【特許請求の範囲】
【請求項１】
スクリーンが引き出し可能に収容されているスクリーン本体と、
建物に設けられた開口を閉止可能なシャッターカーテンが収容されるシャッターカーテン収容部内にて固定され、前記シャッターカーテン収容部外に突出されて前記スクリーン本体を支持する支持部材と、
を有することを特徴とするスクリーンユニット。
【請求項２】
請求項１に記載のスクリーンユニットであって、
前記シャッターカーテンが巻回された軸体の両端部を支持し、前記シャッターカーテン収容部を形成するシャッター枠を介して前記建物に固定されるサイドフレームを覆うサイドキャップを、前記サイドフレームに固定するキャップ固定具を用いて前記支持部材が固定されていることを特徴とするスクリーンユニット。
【請求項３】
請求項２に記載のスクリーンユニットであって、
前記サイドキャップ間を覆うカバー部材を前記サイドフレームに固定するカバー固定具により前記カバー部材とともに固定され、
前記支持部材とともに前記スクリーン本体を支持する固定部材を有することを特徴とするスクリーンユニット。
【発明の詳細な説明】
【技術分野】
【０００１】
本発明は、シャッターユニットに取り付けられるスクリーンユニットに関する。
【背景技術】
【０００２】
シャッターユニットとしては、例えば、建物の外壁の屋外側に取り付けられるシャッターが知られている（例えば、特許文献１参照）。このシャッターは、建物の開口部の周縁に取り付けられる枠体と、枠体の屋外側に取り付けられシャッターカーテンが案内される左右のガイドレールと、枠体の上部に設けられたケースと、を有し、ケースを構成する左右の端面板に回転自在に支持された巻取軸に巻き付けられたシャッターカーテンが巻き上げ及び繰り下げ可能にケースに収容されているシャッターが知られている。
【０００３】
このようなシャッターユニットに、シェードのようなスクリーンが引き出し可能にケーシングに収容されたスクリーン本体を取り付ける方法としては、シャッターカーテンを案内するガイドレールの屋外側にスクリーン本体を取り付けるための取付部材をビス止めし、ビス止めされた取付部材にスクリーン本体を取り付けることが考えられる。
【先行技術文献】
【特許文献】
【０００４】
【特許文献１】特開２０１６−２７２４４号公報
【発明の概要】
【発明が解決しようとする課題】
【０００５】
上述したように、ガイドレールにビス止めされた取付部材にスクリーン本体を取り付ける場合には、ガイドレールの屋外側の部位にビス止めによる孔が形成されてしまい、外部から雨水などが浸入しやすくなるため止水性が低下する虞があるという課題がある。
【０００６】
本発明は、かかる課題に鑑みてなされたものであり、その目的とするところは、高い止水性を保ちつつもシャッターユニットに取り付け可能なスクリーンユニットを提供することにある。
【課題を解決するための手段】
【０００７】
かかる目的を達成するために本発明のスクリーンユニットは、スクリーンが引き出し可能に収容されているスクリーン本体と、建物に設けられた開口を閉止可能なシャッターカーテンが収容されるシャッターカーテン収容部内にて固定され、前記シャッターカーテン収容部外に突出されて前記スクリーン本体を支持する支持部材と、を有することを特徴とするスクリーンユニットである。
【０００８】
このようなスクリーンユニットによれば、スクリーン本体を支持する支持部材は、シャッターカーテン収容部内にて固定されてシャッターカーテン収容部外に突出しているので、シャッターカーテンが案内されるガイドレール等に孔を形成することなく、スクリーンユニットを取り付けることが可能である。このため、高い止水性を保ちつつもシャッターユニットに取り付け可能なスクリーンユニットを提供することが可能である。
【０００９】
かかるスクリーンユニットであって、前記シャッターカーテンが巻回された軸体の両端部を支持し、前記シャッターカーテン収容部を形成するシャッター枠を介して前記建物に固定されるサイドフレームを覆うサイドキャップを、前記サイドフレームに固定するキャップ固定具を用いて前記支持部材が固定されていることを特徴とする。
【００１０】
このようなスクリーンユニットによれば、支持部材は、シャッターカーテン収容部を形成するシャッター枠を介して建物に固定されるサイドフレームを覆うサイドキャップを、サイドフレームに固定するキャップ固定具を用いて固定されているので、支持部材を固定するための部位を設けたり新たな固定具を用いたりすることなくスクリーンユニットを取り付けることが可能である。このため、シャッターユニットに容易にスクリーンユニットを取り付けることが可能であり、既設のシャッターユニットであってもスクリーンユニットを設けることが可能である。
【００１１】
かかるスクリーンユニットであって、前記サイドキャップ間を覆うカバー部材を前記サイドフレームに固定するカバー固定具により前記カバー部材とともに固定され、前記支持部材とともに前記スクリーン本体を支持する固定部材を有することを特徴とする。
【００１２】
このようなスクリーンユニットによれば、スクリーンユニットは、支持部材のみならず固定部材にも支持されるので、より強固にシャッターユニットに取り付けることが可能である。また、固定部材は、カバー部材をサイドフレームに固定するカバー固定具により固定されるので、固定部材を固定するための部位を設けたり新たな固定具を用いたりすることなくスクリーンユニットをより強固に取り付けることが可能である。
【発明の効果】
【００１３】
本発明によれば、高い止水性を保ちつつもシャッターユニットに取り付けられるスクリーンユニットを提供することが可能である。
【図面の簡単な説明】
【００１４】
【図１】本実施形態に係るスクリーンユニットが取り付けられたシャッターユニット示す斜視図である。
【図２】スクリーンユニットが取り付けられたシャッターユニットの縦断面図である。
【図３】シャッターユニットの構成を示す斜視図である。
【図４】スクリーンユニットの取り付け手順を示す斜視図である。
【図５】スクリーンユニットの変形例を示す縦断面図である。
【発明を実施するための形態】
【００１５】
以下、本発明の一実施形態に係るスクリーンユニットについて図面を参照して説明する。
本実施形態のスクリーンユニット１は、図１、図２に示すように、例えば、シェードなどのスクリーン２ａが引き出し可能に収容されているスクリーン本体２と、建物３に固定されているシャッターユニット４にスクリーン本体２を固定するための支持部材５及び固定部材６と、を有している。
【００１６】
本実施形態のスクリーンユニット１が固定されるシャッターユニット４は、例えば建物３の開口３ａに設けられ引き違い障子７が案内される枠体と一体をなす後述するシャッター枠４２が建物３の躯体に取り付けられている。
以下の説明では、シャッターユニット４を屋外側から見たときに上下となる方向を上下方向、左右となる方向を左右方向、屋内外方向である奥行き方向を見込み方向として示す。シャッターユニット４及びスクリーンユニット１の各部位であっても、また、シャッターユニット４及びスクリーンユニット１を構成する各部材については単体の状態であっても、建物等に取り付けられた状態にて上下方向、左右方向、見込み方向となる方向にて方向を特定して説明する。
【００１７】
図３に示すように、シャッターユニット４は、軸体４０ａ（図２参照）に巻回されて引き出し可能なシャッターカーテン４０と、シャッターカーテン４０の左右方向における両端部をそれぞれ収容しシャッターカーテン４０を案内するための左右一対のガイドレール４１と、ガイドレール４１と躯体との間に設けられるシャッター枠４２と、ガイドレール４１の上部に設けられ巻回されたシャッターカーテン４０を収容するシャッターボックス４３と、を有している。
【００１８】
シャッター枠４２は、左右一対のシャッター縦枠４２ａと、左右のシャッター縦枠４２ａの下端を連結し引き違い障子７を案内する下レールを備えたシャッター下枠４２ｂと、左右のシャッター縦枠４２ａの上端に架け渡されて連結するシャッター上枠４２ｃと、シャッター上枠４２ｃよりも下方にて左右のシャッター縦枠４２ａに架け渡され引き違い障子７を案内する上レールを備えたシャッター中枠４２ｄと、を有している。
【００１９】
シャッター枠４２における、左右のシャッター縦枠４２ａの上部、シャッター上枠４２ｃ及びシャッター中枠４２ｄにより囲まれる空間にシャッターボックス４３が収容されており、その屋外側を覆うカバー部材４４が設けられている。左右のシャッター縦枠４２ａ、シャッター上枠４２ｃ、シャッター中枠４２ｄ及びカバー部材４４に囲まれて形成されるシャッター枠上部空間４５がシャッターカーテン収容部に相当する。
【００２０】
シャッターボックス４３は、シャッター枠上部空間４５内にて建物３の外壁３ｂと対向する外壁対向板部４３ａと、外壁対向板部４３ａの左右方向における両端部から屋外側に延出された左右のサイドフレーム４３ｂと、外壁対向板部４３ａの上端から屋外側に延出された天板部４３ｃと、外壁対向板部４３ａの下端から屋外側に延出された底板部４３ｄと、を有している。
【００２１】
シャッターボックス４３は、シャッター枠上部空間４５内に収容された状態で、シャッター枠４２に固定され、左右のサイドフレーム４３ｂは、シャッター縦枠４２ａよりも屋外側に突出している。
【００２２】
左右のサイドフレーム４３ｂの、シャッター縦枠４２ａよりも屋外側に突出している部位には各々、左右のサイドフレーム４３ｂが対向する側とは反対側からサイドフレーム４３ｂを覆うサイドキャップ８が設けられている。サイドキャップ８は、各々のサイドフレーム４３ｂに設けられ、サイドフレーム４３ｂの屋外側の縁から互いに対向する側に延出されて上下２箇所に設けられたキャップ固定部４３ｆにキャップ固定具としてのビス９により固定される。
【００２３】
カバー部材４４は、シャッターボックス４３の屋外側に配置されて、上端部がシャッター上枠４２ｃの屋外側に回動自在に係合され、左右のサイドキャップ８間、すなわちシャッター枠上部空間４５の屋外側を覆うように配置される。カバー部材４４は、シャッター枠上部空間４５の屋外側を覆う状態で下端部が、左右のサイドフレーム４３ｂにそれぞれ固定される。より具体的には、左右のサイドフレーム４３ｂおける屋外側の下縁に設けられ、互いに対向する側に延出されたカバー固定部４３ｇにカバー固定具としてのビス１０によりカバー部材４４は固定される。
【００２４】
カバー部材４４の下端部がカバー固定部４３ｇにビス止めされた状態では、カバー部材４４の下端と底板部４３ｄの屋外側の端部とは間隔が空けられており、シャッター枠上部空間４５の内外を連通するシャッター枠開口４２ｆが形成されている。シャッター枠開口４２ｆの左右の端部側には、ガイドレール４１の上端部が挿入されており、ガイドレール４１に案内されたシャッターカーテン４０がシャッター枠開口４２ｆを通って上下方向に移動するように構成されている。
【００２５】
スクリーン本体２は、水平方向に沿って設けられたスクリーン軸２ｂと、スクリーン軸２ｂに巻き付けられたスクリーン２ａと、スクリーン軸２ｂを収容するとともにスクリーン軸２ｂの両端部を回動自在に支持するケーシング２ｃと、を有している。スクリーン軸２ｂは、スクリーン２ａが巻き取られる方向に付勢されて支持されている。
【００２６】
スクリーン２ａの引き出される側の端部には、スクリーン２ａが引き出された状態を維持すべくシャッター下枠４２ｂに設けられたフック１１に係止される係止バー２ｄがスクリーン２ａの幅方向に沿って設けられている。係止バー２ｄは、スクリーン２ａの幅より長く、両端がスクリーン２ａよりも長手方向における両側に突出している。スクリーン２ａが巻き取られた状態では、係止バー２ｄがケーシング２ｃに設けられた開口２ｅから突出し、係止バー２ｄの両端部がケーシング２ｃにおける開口２ｅの両側の部位に係合されており、スクリーン２ａが引き出された状態を維持する場合には、係止バー２ｄに設けられた溝部２ｆに、シャッター下枠４２ｂに取り付けられているフック１１が係合している。
【００２７】
本実施形態のスクリーン本体２は、シャッターユニット４のサイドフレーム４３ｂに固定された支持部材５及び固定部材６に保持金具１２を介して取り付けられる。
【００２８】
保持金具１２は、支持部材５及び固定部材６にビス止めされ鉛直方向に沿って配置される板状の固定壁部１２ａと、固定壁部１２ａの上縁から屋外側に延出され、先端がスクリーン本体２のケーシング２ｃに係合される係合片１２ｂと、固定壁部１２ａの下縁から屋外側に延出され、先端にケーシング２ｃに螺合するビスが貫通する貫通孔１２ｃが設けられている固定片１２ｄと、を有している。
【００２９】
支持部材５は、左右のサイドフレーム４３ｂに設けられた下側のキャップ固定部４３ｆに螺合されてサイドキャップ８を固定するビス９を用いて固定されている。支持部材５は、例えば、曲げ加工が施された板状の部材であり、キャップ固定部４３ｆの屋内側の面に当接されて鉛直方向に沿って配置される上板部５ａと、上板部５ａの下端から屋内側に延出された屋内延出部５ｂと、屋内延出部５ｂの屋内側の端から下方に延出された下板部５ｃと、を有している。
【００３０】
支持部材５は、上板部５ａがキャップ固定部４３ｆの屋内側の面に当接され、屋内延出部５ｂが、カバー固定部４３ｇの上面に載置された状態で、下板部５ｃが、シャッター枠開口４２ｆにおけるカバー部材４４の下端とガイドレール４１との間からシャッター枠上部空間４５外に突出される。このとき、下板部５ｃがガイドレール４１と見込み方向に間隔を空けて対面するように配置される。そして、支持部材５は、上板部５ａに設けられた貫通孔（不図示）に、サイドキャップ８を固定しているビス９が貫通され、ビス９に屋内側からナット１３が螺合されて固定される。このとき、カバー固定部４３ｇに螺合されているビス１０の先端側の部位は、屋内延出部５ｂに設けられた貫通孔（不図示）に貫通される。
【００３１】
固定部材６は、例えば断面形状がＬ字状をなすように曲げ加工が施された板状の部材であり、カバー固定部４３ｇに当接されるカバー部材４４の下面に当接される下面当接板部６ａと、下面当接板部６ａの屋内側の縁から下方に延出された下方延出板部６ｂと、を有している。
【００３２】
固定部材６は、カバー部材４４の下面に下面当接板部６ａが当接され、下方延出板部６ｂが、サイドフレーム４３ｂに取り付けられた支持部材５における下板部５ｃに沿って対面するように配置される。
【００３３】
スクリーン本体２をシャッターユニット４に取り付ける場合には、図４に示すように、シャッター枠４２、及び、シャッターカーテン４０が収容されたシャッターボックス４３が建物側に取り付けられた状態で、サイドキャップ８をサイドフレーム４３ｂに固定する。このとき、サイドキャップ８を固定しているビス９が、支持部材５の上板部５ａの貫通孔を貫通するように、サイドフレーム４３ｂの下側のキャップ固定部４３ｆの屋内側に支持部材５の上板部５ａを当接させ、屋内側からナット１３を螺合して、支持部材５をキャップ固定部４３ｆに固定する。この状態で、屋内延出部５ｂがカバー固定部４３ｇに載置され、下板部５ｃがシャッター枠開口４２ｆから外に突出してガイドレール４１の屋外側に位置している。
【００３４】
次に、カバー部材４４の上端部をシャッター上枠４２ｃに係合させて左右のサイドキャップ８間を覆い、下端部をカバー固定部４３ｇに当接させる。このとき、カバー部材４４の下端部にてカバー固定部４３ｇと対向する部位の下面に固定部材６の下面当接板部６ａを当接させ、下面当接板部６ａ及びカバー部材４４の貫通孔を貫通するビス１０をカバー固定部４３ｇに螺合させて、固定部材６をサイドフレーム４３ｂに固定する。このとき、固定部材６の下方延出板部６ｂは、支持部材５における下板部５ｃの屋外側の面と近接または当接して対面している。
【００３５】
次に、支持部材５の下板部５ｃと見込み方向に重なり対面する固定部材６の下方延出板部６ｂに、屋外側から保持金具１２の固定壁部１２ａを当接し、下方延出板部６ｂ及び固定壁部１２ａに設けられた貫通孔を貫通するビスを下板部５ｃに螺合させて保持金具１２を固定部材６及び支持部材５に固定する。
【００３６】
次に、スクリーン本体２のケーシング２ｃの屋内側における上部を係合片１２ｂに係合させ、下部を固定片１２ｄの貫通孔１２ｃを貫通したビスにより固定してスクリーン本体２を固定する。
【００３７】
本実施形態のスクリーンユニット１によれば、スクリーン本体２を支持する支持部材５は、シャッター枠上部空間４５内にて固定されてシャッター枠上部空間４５外に突出しているので、シャッターカーテン４０が案内されるガイドレール４１等に孔を形成することなく、スクリーンユニット１を取り付けることが可能である。このため、高い止水性を保ちつつもシャッターユニット４に取り付け可能なスクリーンユニット１を提供することが可能である。
【００３８】
また、支持部材５は、シャッター枠上部空間４５を形成するシャッター枠４２を介して建物３に固定されるサイドフレーム４３ｂを覆うサイドキャップ８を、サイドフレーム４３ｂに固定するビス９を用いて固定されているので、支持部材５を固定するための部位を設けたり新たな固定具を用いたりすることなくスクリーンユニット１を取り付けることが可能である。このため、シャッターユニット４に容易にスクリーンユニット１を取り付けることが可能であり、既設のシャッターユニットであってもスクリーンユニット１を取り付けることが可能である。
【００３９】
また、スクリーンユニット１は、支持部材５のみならず固定部材６にも支持されるので、より強固にシャッターユニット４にスクリーンユニット１を取り付けることが可能である。また、固定部材６は、カバー部材４４をサイドフレーム４３ｂに固定するビス１０により固定されるので、固定部材６を固定するための部位を設けたり新たな固定具を用いたりすることなくスクリーンユニット１をより強固に取り付けることが可能である。
このため、既設のシャッターユニットのカバー部材をサイドフレームに固定するビスを用いてスクリーンユニット１をより強固に固定することが可能である。
【００４０】
上記実施形態においては、キャップ固定部４３ｆの屋内側に支持部材５を配置してサイドキャップ８を固定するビス９の屋外側の部位にナット１３を螺合させて支持部材５を固定する例を挙げて説明したが、これに限るものではない。例えば、図５示すように、キャップ固定部４３ｆとカバー部材４４との間に、サイドキャップ８のビス締着部８ａ、支持部材５の上板部５ａ及びビス９の頭部が配置可能な空間を有する場合には、サイドキャップ８のビス締着部８ａの屋外側に支持部材５の上板部５ａを配置し、上板部５ａ及びビス締着部８ａを貫通するビス９をキャップ固定部４３ｆに螺合して支持部材５を固定しても構わない。
【００４１】
上記実施形態においては、スクリーン本体２が保持金具１２を介して支持部材５及び固定部材６に取り付けられる例について説明したが、これに限らず、保持金具１２を介さずスクリーン本体２が支持部材５及び固定部材６に直接取り付けられる構成であっても構わない。
【００４２】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４３】
１  スクリーンユニット、２  スクリーン本体、２ａ  スクリーン、
３  建物、３ａ  建物の開口、５  支持部材、６  固定部材、８  サイドキャップ、
９  ビス、１０  ビス、４０  シャッターカーテン、４０ａ  軸体、
４２  シャッター枠、４３ｂ  サイドフレーム、４４  カバー部材、
４５  シャッター枠上部空間、
【図１】
2019127777.tif 000003
【図２】
2019127777.tif 000004
【図３】
2019127777.tif 000005
【図４】
2019127777.tif 000006
【図５】
2019127777.tif 000007